(57)【特許請求の範囲】
【請求項１】
入力端子と、前記入力端子に接続される入力同調回路と、前記入力同調回路の後段に設けられた混合器と、前記混合器に局部発振信号を供給する局部発振器とを備え、前記入力端子と前記入力同調回路との間にトラップ回路を挿入し、前記トラップ回路のトラップ周波数を、日本のテレビジョンシステムにおけるチャンネル５６に対応した前記局部発振信号の２倍高調波の周波数又はその近傍の周波数に設定したことを特徴とするテレビジョンチューナ。
【発明の詳細な説明】
【０００１】
【発明の属する技術分野】
本発明は、自動車に搭載されるいわゆるナビゲ−ションシステムに使用して好適なテレビジョンチュ−ナに関する。
【０００２】
【従来の技術】
自動車に搭載する最近のナビゲ−ションシステムにはテレビジョンチュ−ナが組み込まれ、ナビゲ−ションシステムの画面を利用してテレビジョン放送を視聴出来るようになっている。
【０００３】
図４は、このような、ナビゲ−ションシステムに組み込まれる従来のテレビジョンチュ−ナのブロック構成図である。図４において、テレビジョンチュ−ナ３１は、ＶＨＦ帯のテレビジョン信号の中から受信するＶＨＦ帯のテレビジョン信号を選択して出力する高周波部であるＶＨＦ高周波部３２、ＶＨＦ高周波部３２から出力されるＶＨＦ帯のテレビジョン信号を中間周波信号に周波数変換する混合器であるＶＨＦ混合器３３、ＶＨＦ混合器３３に局部発振信号を供給する局部発振器であるＶＨＦ局部発振器３４を備えている。
【０００４】
また、テレビジョンチュ−ナ３１は、同様に、ＵＨＦ帯のテレビジョン信号の中から受信するＵＨＦ帯のテレビジョン信号を選択して出力する高周波部であるＵＨＦ高周波部３５、ＵＨＦ高周波部３５から出力されるＵＨＦ帯のテレビジョン信号を中間周波信号に周波数変換する混合器であるＵＨＦ混合器３６、ＵＨＦ混合器３６に局部発振信号を供給する局部発振器であるＵＨＦ局部発振器３７を備えている。さらに、テレビジョンチュ−ナ３１は、ＶＨＦ混合器３３およびＵＨＦ混合器３６からの中間周波信号を通過させる中間周波フィルタ３８と中間周波フィルタ３８を通過した中間周波信号を増幅する中間周波増幅器３９等からなる中間周波回路部４０を備えている。
【０００５】
ここで、ＶＨＦ高周波部３２は、図示しないアンテナからのＶＨＦ帯のテレビジョン信号のうち、受信するＶＨＦ帯のテレビジョン信号の周波数に同調する入力同調回路であるＶＨＦ入力同調回路４１、ＶＨＦ入力同調回路４１で同調したＶＨＦ帯のテレビジョン信号を増幅する高周波増幅器であるＶＨＦ高周波増幅器４２、ＶＨＦ高周波増幅器４２で増幅したテレビジョン信号を急峻な選択度特性を有してＶＨＦ混合器３３に入力する段間同調回路であるＶＨＦ段間同調回路４３を有している。
【０００６】
また、同様に、ＵＨＦ高周波部３５は、図示しないアンテナからのＵＨＦ帯のテレビジョン信号のうち、受信するＵＨＦ帯のテレビジョン信号の周波数に同調する入力同調回路であるＵＨＦ入力同調回路４４、ＵＨＦ入力同調回路４４で同調したＵＨＦ帯のテレビジョン信号を増幅する高周波増幅器であるＵＨＦ高周波増幅器４５、ＵＨＦ高周波増幅器４５で増幅したＵＨＦ帯のテレビジョン信号を急峻な選択度特性を有してＵＨＦ混合器３６に入力する段間同調回路であるＵＨＦ段間同調回路４６を有している。ＶＨＦ入力同調回路４１およびＵＨＦ入力同調回路４４は、通常、単同調回路で構成されているが、それぞれに中間周波信号の周波数帯域に存在する外部からの妨害信号を除去する帯域消去フィルタあるいは中間周波トラップ回路等が付加されている場合がある。
【０００７】
そして、入力端子４７に入力された、およそ９０ＭＨｚから２２０ＭＨｚまでのＶＨＦ帯のテレビジョン信号は、ＶＨＦ高周波部３２で希望するＶＨＦ帯のテレビジョン信号が選択され、この選択されたＶＨＦ帯のテレビジョン信号のみがＶＨＦ段間同調回路４３を介してＶＨＦ混合器３３に入力され、このＶＨＦ混合器３３においてＶＨＦ局部発振器３４からの局部発振信号と混合されて中間周波信号に周波数変換される。
【０００８】
同様に、入力端子４７に入力された、およそ４７０ＭＨｚから７７０ＭＨｚまでのＵＨＦ帯のテレビジョン信号は、ＵＨＦ高周波部３５で希望するテレビジョン信号が選択され、この選択されたＵＨＦ帯のテレビジョン信号のみがＵＨＦ段間同調回路４６を介してＵＨＦ混合器３６に入力され、このＵＨＦ混合器３６においてＵＨＦ局部発振器３７からの局部発振信号と混合されて中間周波信号に周波数変換される。そして、ＶＨＦ混合器３３およびＵＨＦ混合器３６で周波数変換された中間周波信号は、中間周波フィルタ３８で所定の選択度特性を与えられた後中間周波増幅器３９で増幅され、出力端子４８から図示しない後段の復調器等に送られるようになっている。
【０００９】
【発明が解決しようとする課題】
以上のような、従来のテレビジョンチュ−ナ３１を自動車用のナビゲ−ションシステムに組み込んだ場合、テレビジョンチュ−ナ３１の局発振器、特にＵＨＦ局部発振器３７が出力する局部発振信号の高調波によってナビゲ−ションシステムが妨害を受けて正常に動作しなくなるという問題が発生する。
【００１０】
即ち、ナビゲ−ションシステムは、衛星からの１．５７５ＧＨｚの電波（ＧＰＳ信号）を受けて航行指示をするが、このナビゲ−ションシステムの受信機はおよそ３ＭＨｚの帯域のフィルタを備えている。一方、テレビジョンチュ−ナ３１がＵＨＦ帯のテレビジョン信号のうちチャンネル５６（日本のテレビジョンシステムのチャンネル５６）のテレビジョン信号を受信する状態になっていると、ＵＨＦ局部発振器３７は７８８ＭＨｚで発振している。
【００１１】
そして、ＵＨＦ局部発振器３７の局部発振信号はＵＨＦ混合器３６に入力されるが、この局部発振信号の基本波および高調波はＵＨＦ混合器３７を容易に抜けてＵＨＦ高周波部３５を入力端子４７方向に向けて逆流し、入力端子４７から外部に漏洩する。特に、第二次高調波（周波数１．５７６ＧＨｚ）は、次数が低いためにそのレベルが高く、また、その周波数がＧＰＳ信号の周波数である１．５７５ＧＨｚに非常に近い上にナビゲ−ションシステムの受信機の帯域が３ＭＨｚであるので、局部発振信号の第二次高調波はナビゲ−ションシステムの受信機で容易に受信されることになる。その結果、ナビゲ−ションシステムは妨害を受けることとなる。
そこで、本発明のテレビジョンチュ−ナは、局部発振器から発生する局部発振信号の高調波によってナビゲ−ションシステムが妨害を受けないようにすることである。
【００１２】
【課題を解決するための手段】
上記の課題を解決するため、本発明のテレビジョンチュ−ナは、入力端子と、前記入力端子に接続される入力同調回路と、前記入力同調回路の後段に設けられた混合器と、前記混合器に局部発振信号を供給する局部発振器とを備え、前記入力端子と前記入力同調回路との間にトラップ回路を挿入し、前記トラップ回路のトラップ周波数を、日本のテレビジョンシステムにおけるチャンネル５６に対応した前記局部発振信号の２倍高調波の周波数又はその近傍の周波数に設定した。
【００１６】
【発明の実施の形態】
以下、本発明のテレビジョンチュ−ナの実施の形態を、図１乃至図３を参照して説明する。図１は本発明のテレビジョンチュ−ナのブロック構成図であり、図１において、テレビジョンチュ−ナ１は、図示しないアンテナを介して入力されるテレビジョン信号の最高周波数（日本の仕様ではＵＨＦ帯のテレビジョン信号の７７０ＭＨｚ）よりも高い周波数の信号を減衰するロ−パスフィルタ等の減衰手段２、ＶＨＦ帯のテレビジョン信号の中から受信するＵＨＦ帯のテレビジョン信号を選択して出力する高周波部であるＶＨＦ高周波部３、ＶＨＦ高周波部３から出力されるＶＨＦ帯のテレビジョン信号を中間周波信号に周波数変換する混合器であるＶＨＦ混合器４、ＶＨＦ混合器４に局部発振信号を供給する局部発振器であるＶＨＦ局部発振器５を備えている。
【００１７】
また、テレビジョンチュ−ナ１は、同様に、ＵＨＦ帯のテレビジョン信号の中から受信するＵＨＦ帯のテレビジョン信号を選択して出力する高周波部であるＵＨＦ高周波部６、ＵＨＦ高周波部６から出力されるＵＨＦ帯のテレビジョン信号を中間周波信号に周波数変換する混合器であるＵＨＦ混合器７、ＵＨＦ混合器７に局部発振信号を供給する局部発振器であるＵＨＦ局部発振器８を備えている。さらに、テレビジョンチュ−ナ１は、ＶＨＦ混合器４およびＵＨＦ混合器７からの中間周波信号を通過させる中間周波フィルタ９と中間周波フィルタ９を通過した中間周波信号を増幅する中間周波増幅器１０等からなる中間周波回路部１１を備えている。
【００１８】
ここで、ＶＨＦ高周波部３は、図示しないアンテナからのＶＨＦ帯のテレビジョン信号のうち、受信するＶＨＦ帯のテレビジョン信号の周波数に同調する入力同調回路であるＶＨＦ入力同調回路１２、ＶＨＦ入力同調回路１２で同調したＶＨＦ帯のテレビジョン信号を増幅する高周波増幅器であるＶＨＦ高周波増幅器１３、ＶＨＦ高周波増幅器１３で増幅したＶＨＦ帯のテレビジョン信号を急峻な選択度特性を有してＶＨＦ混合器４に入力する段間同調回路であるＶＨＦ段間同調回路１４を有している。
【００１９】
また、同様に、ＵＨＦ高周波部６は、図示しないアンテナからのＵＨＦ帯のテレビジョン信号のうち、受信するＵＨＦ帯のテレビジョン信号の周波数に同調する入力同調回路であるＵＨＦ入力同調回路１５、ＵＨＦ入力同調回路１５で同調したＵＨＦ帯のテレビジョン信号を増幅する高周波増幅器であるＵＨＦ高周波増幅器１６、ＵＨＦ高周波増幅器１６で増幅したＵＨＦ帯のテレビジョン信号を急峻な選択度特性を有してＵＨＦ混合器７に入力する段間同調回路であるＵＨＦ段間同調回路１７を有している。
【００２０】
ここで、減衰手段２は、特に、ＵＨＦ局部発振器８の局部発振信号の第二次高調波を減衰できるような、ロ−パスフィルタまたはトラップ回路で構成される。図２は、減衰手段２を誘導Ｍ型のロ−パスフィルタで構成した例である。この誘導Ｍ型のロ−パスフィルタは、およそ９００ＭＨｚ付近にカットオフ周波数を有し、互いに並列接続されたインダクタンス素子２１と容量素子２２とによるトラップ回路の減衰極周波数（トラップ周波数）は、ナビゲ−ションシステムの受信機が受信する信号の近傍に存在する局部発振信号の高調波を減衰するような周波数に設定されている。これによて、ナビゲ−ションシステムが受ける受信妨害を効果的に防止できる。
【００２１】
即ち、ナビゲ−ションシステムの受信機は１．５７５ＧＨｚのＧＰＳ信号を受信するので、トラップ周波数は、ＵＨＦ局部発振器８のチャンネル５６（日本のテレビジョンシステムのチャンネル５６）における局部発振信号の第二次高調波の周波数である１．５７６ＧＨｚに設定してある。このように、トラップ周波数を１．５７６ＧＨｚに設定すれば、局部発振信号の第二次高調波はこの誘導Ｍ型のロ−パスフィルタで効果的に減衰され、ナビゲ−ションシステムの受信機への入力が防止され、ナビゲ−ションシステムが、周波数が１．５７５ＧＨｚのＧＰＳ信号を受信した場合に確実に受信妨害を受けなくなる。なお、トラップ周波数は、正確に１．５７６ＧＨｚに設定しなくても、その近傍に設定すれば局部発振信号の第二次高調波を減衰出来る。
【００２２】
なお、図示はしないが、図２の減衰手段２の容量素子２２を省略し、インダクタンス素子２１とこのインダクタンス素子２１の一端からグランドに接地されているシャント容量素子２３とのみで構成するロ−パスフィルタとしてもよい。そして、減衰手段２をロ−パスフィルタで構成すれば、広い範囲にわたる局部発振信号の高調波からの妨害を防止できる。
【００２３】
また、図３は、減衰手段２を、互いに並列接続したインダクタンス素子２４と容量素子２５とによるトラップ回路のみでで構成したものである。この場合も、インダクタンス素子２４と容量素子２５とによる共振周波数（トラップ周波数）をＵＨＦ局部発信器８のチャンネル５６における局部発振信号の第二次高調波の周波数である１．５７６ＧＨｚに設定することによって、ナビゲ−ションシステムがテレビジョンチュ−ナの局部発振信号の高調波によって受ける受信妨害を確実に防止できる。
【００２４】
また、ＶＨＦ入力同調回路１２およびＵＨＦ入力同調回路１５は、通常、単同調回路で構成されているが、それぞれに中間周波信号の周波数帯域に存在する外部からの妨害信号を除去する帯域消去フィルタあるいは中間周波トラップ等が付加されている場合がある。
【００２５】
そして、入力端子１８に入力された、およそ９０ＭＨｚから２２０ＭＨｚまでのＶＨＦ帯のテレビジョン信号は、ＶＨＦ高周波部３で希望するＶＨＦ帯のテレビジョン信号が選択され、この選択されたＶＨＦ帯のテレビジョン信号のみがＶＨＦ段間同調回路１４を介してＶＨＦ混合器４に入力され、このＶＨＦ混合器４においてＶＨＦ局部発振器５からの局部発振信号と混合されて中間周波信号に周波数変換される。
【００２６】
同様に、入力端子１８に入力された、およそ４７０ＭＨｚから７７０ＭＨｚまでのＵＨＦ帯のテレビジョン信号は、ＵＨＦ高周波部６で希望するＵＨＦ帯のテレビジョン信号が選択され、この選択されたＵＨＦ帯のテレビジョン信号のみがＵＨＦ段間同調回路１７を介してＵＨＦ混合器７に入力され、このＵＨＦ混合器７においてＵＨＦ局部発振器８からの局部発振信号と混合されて中間周波信号に周波数変換される。そして、ＶＨＦ混合器４およびＵＨＦ混合器７で周波数変換された中間周波信号は、中間周波フィルタ９で所定の選択度特性を与えられた後中間周波増幅器１０で増幅され、出力端子１９から図示しない後段の復調器等に送られるようになっている。
【００２７】
【発明の効果】
以上述べたように、本発明のテレビジョンチュ−ナは、入力端子と入力同調回路との間にトラップ回路を挿入し、トラップ回路のトラップ周波数を、日本のテレビジョンシステムにおけるチャンネル５６に対応した局部発振信号の２倍高調波の周波数又はその近傍の周波数に設定したので、この２倍高調波（１．５７６ＧＨｚ）が入力端子から外部に漏洩しなくなる。この結果、このテレビジョンチュ−ナを組み込んだ、１．５７５ＧＨｚを使用しているナビゲ−ションシステムの受信機がこの２倍高調波によって妨害を受けなくなる。
また、トラップ回路を入力端子と入力同調回路との間に設けたので、従来のテレビジョンチュ−ナの内部の回路を変更する必要がなく、単に、トラップ回路を付加するだけでよいので、簡単に構成できる。
【図面の簡単な説明】
【図１】本発明のテレビジョンチュ−ナのブロック構成図である。
【図２】本発明のテレビジョンチュ−ナに使用する減衰手段の説明図である。
【図３】本発明のテレビジョンチュ−ナに使用する減衰手段の説明図である。
【図４】従来のテレビジョンチュ−ナのブロック構成図である。本発明の
【符号の説明】
１  テレビジョンチュ−ナ
２  減衰手段
３  ＶＨＦ高周波部
４  ＶＨＦ混合器
５  ＶＨＦ局部発振器
６  ＵＨＦ高周波部
７  ＵＨＦ混合器
８  ＵＨＦ局部発振器
９  中間周波フィルタ
１０  中間周波増幅器
１１  中間周波回路
１２  ＶＨＦ入力同調回路
１３  ＶＨＦ高周波増幅器
１４  ＶＨＦ段間同調回路
１５  ＵＨＦ入力同調回路
１６  ＵＨＦ高周波増幅器
１７  ＵＨＦ段間同調回路
１８  入力端子
１９  出力端子
【図１】
0003599951.tif 000002
【図２】
0003599951.tif 000003
【図３】
0003599951.tif 000004
【図４】
0003599951.tif 000005